【手続補正書】
【提出日】平成18年6月1日(2006.6.1)
【手続補正１】
【補正対象書類名】明細書
【補正対象項目名】特許請求の範囲
【補正方法】変更
【補正の内容】
【特許請求の範囲】
【請求項１】 １）ピネンと２）シトラール、シトロネロール及び１，８−シネオールから選ばれる１種乃至は２種以上とを含有することを特徴とする、こころのイライラ、クヨクヨ対応用のマッサージ化粧料。
【請求項２】 １）ピネンと２）シトラール、シトロネロール及び１，８−シネオールから選ばれる１種乃至は２種以上とが、レモン精油、はローズマリー精油、またはそれらの模擬組成物の形態で含有されていることを特徴とする、請求項１に記載のこころのイライラ、クヨクヨ対応用のマッサージ化粧料。
【請求項３】 １）ピネンと２）メントールとを含有することを特徴とする、体のみの疲労対応用のマッサージ化粧料。
【請求項４】 １）ピネンと２）メントールとが、ミントの精油、またはその模擬組成物の形態で含有されることを特徴とする、請求項３に記載の体のみの疲労対応用のマッサージ化粧料。
【請求項５】 １）ピネンと２）リナロール及び／又はリナリルアセテートとを含有する慢性疲労用のマッサージ化粧料。
【請求項６】 １）ピネンと２）リナロール及び／又はリナリルアセテートとがラベンダー精油、またはその模擬組成物の形態で含有されていることを特徴とする、請求項５に記載の慢性疲労用のマッサージ化粧料。
【請求項７】 １）請求項１又は２に記載のマッサージ化粧料と、２）請求項３又は４に記載のマッサージ化粧料と、３）請求項５又は６に記載のマッサージ化粧料とを組合せてなることを特徴とする、マッサージ化粧料セット。
【請求項８】 １）マッサージ化粧料ベースと、２−１）（１）ピネンと（２）シトラール、シトロネロール及び１，８−シネオールから選ばれる１種乃至は２種以上を含有する香料組成物と、２−２）（１）ピネンと（２）メントールとを含有する香料組成物と２−３）（１）ピネンと（２）リナロール及び／又はリナリルアセテートとを含有する香料組成物とから構成されることを特徴とする、マッサージ化粧料セット。
【手続補正２】
【補正対象書類名】明細書
【補正対象項目名】０００１
【補正方法】変更
【補正の内容】
【０００１】
【発明の属する技術分野】
本発明は、マッサージ化粧料及びマッサージ化粧料セットに関し、更に詳細には、心と体のケアに有益なマッサージ化粧料及びマッサージ化粧料セットに関する。
【手続補正３】
【補正対象書類名】明細書
【補正対象項目名】０００７
【補正方法】変更
【補正の内容】
【０００７】
【課題を解決するための手段】
この様な状況に鑑みて、本発明者らは、ストレスの悪影響を予防改善する手段を求めて、鋭意研究努力を重ねた結果、マッサージ化粧料ベースと、特定の作用を有する３タイプの香料組成物とから構成されるマッサージ化粧料セットにその様な作用を認め、発明を完成させるに至った。即ち、本発明は、次に示す技術に関するものである。
｛１｝１）ピネンと２）シトラール、シトロネロール及び１，８−シネオールから選ばれる１種乃至は２種以上を含有することを特徴とする、こころのイライラ、クヨクヨ対応用のマッサージ化粧料。
｛２｝１）ピネンと２）シトラール、シトロネロール及び１，８−シネオールから選ばれる１種乃至は２種以上とが、レモン精油、ローズマリー精油、またはそれらの模擬組成物の形態で含有されていることを特徴とする、｛１｝に記載のこころのイライラ、クヨクヨ対応用のマッサージ化粧料。
｛３｝１）ピネンと２）メントールとを含有することを特徴とする、体のみの疲労対応用のマッサージ化粧料。
｛４｝１）ピネンと２）メントールとが、ミントの精油、またはその模擬組成物の形態で含有されることを特徴とする、｛３｝に記載の体のみの疲労対応用のマッサージ化粧料。｛５｝１）ピネンと２）リナロール及び／又はリナリルアセテートとを含有する慢性疲労用のマッサージ化粧料。
｛６｝１）ピネンと２）リナロール及び／又はリナリルアセテートとがラベンダー精油、またはその模擬組成物の形態で含有されていることを特徴とする、｛５｝に記載の慢性疲労用のマッサージ化粧料。
｛７｝１）｛１｝又は｛２｝に記載のマッサージ化粧料と、２）｛３｝又は｛４｝に記載のマッサージ化粧料と、３）｛５｝又は｛６｝に記載のマッサージ化粧料とを組合せてなることを特徴とする、マッサージ化粧料セット。
｛８｝１）マッサージ化粧料ベースと、２−１）（１）ピネンと（２）シトラール、シトロネロール及び１，８−シネオールから選ばれる１種乃至は２種以上を含有する香料組成物と、２−２）（１）ピネンと（２）メントールとを含有する香料組成物と、２−３）（１）ピネンと（２）リナロール及び／又はリナリルアセテートとを含有する香料組成物とから構成されることを特徴とする、マッサージ化粧料セット。
以下、本発明について実施の形態を中心に更に詳細に説明を加える。
【手続補正４】
【補正対象書類名】明細書
【補正対象項目名】０００８
【補正方法】変更
【補正の内容】
【０００８】
＜１＞本発明におけるこころと体の状態とマッサージ化粧料
本発明のマッサージ化粧料は、こころと体の状態にあわせて使い分けをするものであり、本発明の適用の範囲のこころと体の状態としては、１）こころのイライラ、クヨクヨ、２）体のみが著しく疲労している、３）こころも体も健全であるが、慢性疲労が蓄積し、不顕在化ストレスが負荷されているの３つの状態であり、前者２つは病的な状態であり、後者１つは病的ではないがその予備的状態である、いわば未病と言うべき状態である。本
発明のマッサージ化粧料は、この様な状態に対応して使用されることにより、こころのストレス或いは体のストレスを緩和し、病気の状態の悪化を抑制、病態の改善、病態への移行の阻止などの作用を発揮する。これは、マッサージ化粧料の擦過作業そのものに、気持ちを落ち着かせ、ストレスを緩和させる作用があるためである。本発明のマッサージ化粧料に於いては、下記に詳細を示す必須成分以外に、通常化粧料で含有される任意成分を、本発明の効果を損ねない範囲において含有することができる。かかる任意成分としては、例えば、スクワラン、ワセリン、マイクロクリスタリンワックス等の炭化水素類、ホホバ油、カルナウバワックス、オレイン酸オクチルドデシル等のエステル類、オリーブ油、牛脂、椰子油等のトリグリセライド類、ステアリン酸、オレイン酸、リチノレイン酸等の脂肪酸、オレイルアルコール、ステアリルアルコール、オクチルドデカノール等の高級アルコール、スルホコハク酸エステルやポリオキシエチレンアルキル硫酸ナトリウム等のアニオン界面活性剤類、アルキルベタイン塩等の両性界面活性剤類、ジアルキルアンモニウム塩等のカチオン界面活性剤類、ソルビタン脂肪酸エステル、脂肪酸モノグリセライド、これらのポリオキシエチレン付加物、ポリオキシエチレンアルキルエーテル、ポリオキシエチレン脂肪酸エステル等の非イオン界面活性剤類、ポリエチレングリコール、グリセリン、１，３−ブタンジオール等の多価アルコール類、増粘・ゲル化剤、酸化防止剤、紫外線吸収剤、色剤、防腐剤、粉体等が例示できる。又、これらの剤形については、従来あるものに準じればよく、その製造法も常法に従えばよい。これら、本発明のマッサージ化粧料について、対応するこころと体の状態ごとに、以下説明を加える。
【手続補正５】
【補正対象書類名】明細書
【補正対象項目名】０００９
【補正方法】変更
【補正の内容】
【０００９】
１）こころのイライラ、クヨクヨ対応用のマッサージ化粧料
こころのイライラ、クヨクヨ対応用のマッサージ化粧料は、１）ピネンと２）シトラール、シトロネロール及び１，８−シネオールから選ばれる１種乃至は２種以上を含有することを特徴とする。これらの成分は両者を合計した量で、本発明のこころのイライラ、クヨクヨ対応用のマッサージ化粧料中に、化粧料全量に対して０．０１〜１０重量％、更に好ましくは０．０５〜５重量％含有される。更に１）ピネンと２）シトラール、シトロネロール及び１，８−シネオールから選ばれる１種乃至は２種以上との重量比は１：５０〜１：３が好ましい。この様な量範囲に於いて、イライラ、クヨクヨを解消する作用に優れるからである。尚、この様な量比は使用直前に達成されていれば良く、例えば、１）と２）とからなる必須成分を含む組成物を、これらを含まないマッサージ化粧料ベースに、使用前に混合させて上記条件を満足させ使用するものも本発明のこころのイライラ、クヨクヨ対応用のマッサージ化粧料の技術的範囲に属する。ここで、１）と２）の成分の含有させる形態であるが、特に好ましいものは、これらを上記条件を満たす範囲で含有し、ローズマリー精油或いはレモン精油のイメージを持たせることである。ローズマリー精油或いはレモン精油そのものも、多くの場合、上記の条件を満たすものであり、これを用いることも出来るが、上記の条件を満たし、合成香料などでローズマリー精油或いはレモン精油のイメージを持たせても同様の効果が得られるので好ましい。即ち、両者ともイライラ、クヨクヨの解消に効果はあるが、レモンの場合はクヨクヨに対する効果がより如実であり、ローズマリーはイライラに対する効果がより如実であるためである。
【手続補正６】
【補正対象書類名】明細書
【補正対象項目名】００１０
【補正方法】変更
【補正の内容】
【００１０】
２）体のみの疲労対応用のマッサージ化粧料
体のみの疲労対応用のマッサージ化粧料は、１）ピネンと２）メントールを含有することを特徴とする。これらの成分は両者を合計した量で、本発明の体のみの疲労対応用のマッサージ化粧料中に、化粧料全量に対して０．０１〜１０重量％、更に好ましくは０．０５〜５重量％含有される。更に１）ピネンと２）メントールとの重量比は１：５０〜１：３が好ましい。この様な量範囲に於いて体の代謝系を活性化し疲労原因物質の代謝を高め、疲労感を解消する作用に優れるからである。尚、この様な量比は使用直前に達成されていれば良く、例えば、１）と２）とからなる必須成分を含む組成物を、これらを含まないマッサージ化粧料ベースに、使用前に混合させて上記条件を満足させ使用するものも本発明の体のみの疲労対応用のマッサージ化粧料の技術的範囲に属する。ここで、１）と２）の成分の含有させる形態であるが、特に好ましいものは、これらを上記条件を満たす範囲で含有し、ミント精油のイメージを持たせることである。ミント精油そのものも、多くの場合、上記の条件を満たすものであり、これを用いることも出来るが、上記の条件を満たし、合成香料などでミント精油のイメージを持たせても同様の効果が得られるので好ましい。尚、ミントには、例えば、スペアミント、ペパーミント、ハッカ、ウォーターミントなど様々な類縁種があるが、これらの精油或いはその疑似物も前記の条件を満たしているため、本発明の体のみの疲労対応用のマッサージ化粧料の必須成分のひとつである。
【手続補正７】
【補正対象書類名】明細書
【補正対象項目名】００１１
【補正方法】変更
【補正の内容】
【００１１】
３）慢性疲労対応用のマッサージ化粧料
慢性疲労対応用のマッサージ化粧料は、１）ピネンと２）リナロール及び／又はリナリルアセテートとを含有することを特徴とする。これらの成分は両者を合計した量で、本発明の慢性疲労対応用のマッサージ化粧料中に、化粧料全量に対して０．０１〜１０重量％、更に好ましくは０．０５〜５重量％含有される。更に１）ピネンと２）リナロール及び／又はリナリルアセテートとの重量比は１：５０〜１：３が好ましい。この様な量範囲に於いて、負荷されているストレスを緩和し慢性疲労の蓄積を防ぎ、この影響を解消する作用に優れるからである。ここで、本発明が適用範囲とする慢性疲労とは、こころの状態も体の状態も至って健全であるが、ストレスの負荷が意識しないところで掛かっており、何れ近くに病態を発現する可能性が高いような状態を意味する。尚、この様な量比は使用直前に達成されていれば良く、例えば、１）と２）とからなる必須成分を含む組成物を、これらを含まないマッサージ化粧料ベースに、使用前に混合させて上記条件を満足させ使用するものも本発明の慢性疲労対応用のマッサージ化粧料の技術的範囲に属する。ここで、１）と２）の成分の含有させる形態であるが、特に好ましいものは、これらを上記条件を満たす範囲で含有し、ラベンダー精油のイメージを持たせることである。ラベンダー精油そのものも、多くの場合、上記の条件を満たすものであり、これを用いることも出来るが、上記の条件を満たし、合成香料などでラベンダー精油のイメージを持たせても同様の効果が得られるので好ましい。
【手続補正８】
【補正対象書類名】明細書
【補正対象項目名】００１２
【補正方法】変更
【補正の内容】
【００１２】
＜２＞本発明のマッサージ化粧料セット
本発明のマッサージ化粧料セットは、少なくとも上記３種のマッサージ化粧料、即ち、こころのイライラ、クヨクヨ対応用のマッサージ化粧料、体のみの疲労対応用のマッサー
ジ化粧料及び慢性疲労対応用のマッサージ化粧料の３種のマッサージ化粧料を構成要素とする。この場合、こころのイライラ、クヨクヨ対応用のマッサージ化粧料としては、レモン精油乃至はその疑似物とローズマリー精油乃至はその疑似物では作用が多少異なるため、２種を構成要素とすることが好ましく、計４種のマッサージ化粧料で構成されることが好ましい。又、この様なこころと体の状態は不変的なものではなく、同じ個人があるときはイライラ、クヨクヨしたり、ある時は体だけが著しく疲労したり、又、認識のない状態でストレスが過剰に負荷されていることがあったりするので、ＴＰＯによって使い分ける形態を取ることが好ましい。この様な形態として特に好適なものは、必須成分の部分の３種乃至は４種と、必須成分を含まないマッサージ化粧料ベースとを用意し、使用直前に混ぜて調整し、使用するようなセットの形態である。この様な場合の適切な必須成分の選択は、自分の認識より行っても良いし、簡単な心理的なテストを行って選択することも出来る。
【手続補正９】
【補正対象書類名】明細書
【補正対象項目名】００１４
【補正方法】変更
【補正の内容】
【００１４】
＜実施例１＞
無作為に集めた女性パネラー１４１名に、心理学の分野で良く知られている健康・生活、心身の状態全般、心理状態、身体に関する質問スケールを用い、アンケートにより心身の状態を答えてもらった。質問スケールは表１に示す。又同時に尿を採取し、尿中のプラステロン硫酸の量とハイドロコルチゾールの量を定量した。定量は、住友化学株式会社製の測定キットを用いて行った。次に、これらのパネラーに対して、ローズマリー精油（１，８−シネオール４２重量％及びピネン１３重量％含有）、レモン精油（シトロネラール２１重量％、シトラール２５重量％、ピネン１１重量％含有）、ペパーミント精油（ｌ−メントール５１重量％、ピネン１１重量％含有）及びラベンダー精油（リナロール１３重量％、リナリルアセテート２９重量％、ピネン１３重量％含有）を提示し、「自分の活力を高めるような気がする香りはどれですか？」と言う質問をして香りを選択してもらった。上記心理、身体の状態のアンケート結果を選択された香り別にまとめると表２の如くになった。これより、レモンとローズマリーを選んだ女性は、こころの状態がイライラかクヨクヨによっている、ペパーミントを選んだ女性は体の疲労が激しいが、こころは前向き、ラベンダーを選んだ女性はこころも体もよいコンディションだが、慢性疲労が高いことがわかる。即ち、これを言い換えれば、レモン調の香り、ローズマリー調の香りはこころのイライラ乃至はクヨクヨと相関性が高く、ペパーミント調の香りはこころの疲労を伴わない肉体的疲労との相関性が高く、ラベンダー調の香りはストレス性の慢性疲労との相関が高いことがわかる。これは、尿中のプラステロン硫酸の量とハイドロコルチゾールの量からも支持されている。
【手続補正１０】
【補正対象書類名】明細書
【補正対象項目名】００１７
【補正方法】変更
【補正の内容】
【００１７】
＜実施例２＞
上記実施例１の結果より、本発明者らは、被験者が自分の必要としている香りを選択しているのではないかと考え、こころのイライラ乃至はクヨクヨの解決には、レモン調の香り乃至はローズマリー調の香りが、好ましい働きをするのではないかとの仮説のもとに検証実験を行った。又、この様な効果発現に於いて、ピネンとシトラール、シトロネロール及び１，８−シネオールの組合せが重要なのではないかとの仮説の検証も行った。即ち、
アンケートの心理的スケールにおいて、こころのイライラ或いはクヨクヨが重要課題となっているパネラー３５名を集め、５人ずつ７群に分けた。これらの群パネラーはそれぞれ表に示す香料組成物を含有する、下記処方のマッサージクリームにてマッサージを行い、マッサージの前後に尿を採取し、ハイドロコルチゾールの量を定量した。このハイドロコルチゾールの量より、改善率＝（マッサージ前のハイドロコルチゾール量−マッサージ後のハイドロコルチゾール量）／マッサージ前のハイドロコルチゾール量＊１００を算出した。この結果を表３に示す。これより、本発明のこころのイライラ、クヨクヨ対応用のマッサージ化粧料である、マッサージクリームでマッサージを行った群は、心理的ストレス指標である尿中コルチゾール量が減少し、こころのイライラ、クヨクヨに対応できていることがわかる。又、この様な効果は、シトラール、シトロネラール及び１，８−シネオールとピネンとの組合せの相乗作用であることもわかる。
（マッサージクリーム処方）
スクワラン                                 ３０     重量部
イソオクタン酸トリグリセライド             ３０     重量部
セタノール                                   ３     重量部
ソルビタンセスキステアレート                 １     重量部
ポリオキシエチレン（２０）ベヘニルエーテル   １     重量部
１，３−ブタンジオール                       ５     重量部
メチルパラベン                               ０．２ 重量部
香料＊１                                     ０．１ 重量部
水                                         ２９．７ 重量部
＊１：表３に詳細を示す。
【手続補正１１】
【補正対象書類名】明細書
【補正対象項目名】００１９
【補正方法】変更
【補正の内容】
【００１９】
＜実施例３＞
実施例２と同様の仮説のもと、体のみの疲労の解決にはペパーミント調の香りが有効であることを確かめた。即ち、アンケートの肉体的疲労スケールのみが高かったパネラー１８名を１群６名、３群に分け、下記に示すマッサージクリームでマッサージを行い、疲労感の回復について、アンケートにより、評点３：非常に回復、評点２：明確に回復、評点１：僅かに回復、評点０：回復せずの基準で評価してもらった。結果を表４に示す。これより、本発明の体のみの疲労対応用のマッサージ化粧料は、体の疲労を改善する作用に優れることがわかる。又、この様な作用は、ピネンとメントールの組合せの相乗効果によるものであることがわかる。
（マッサージクリーム処方）
スクワラン                                     ３０     重量部
イソオクタン酸トリグリセライド                 ３０     重量部
セタノール                                       ３     重量部
ソルビタンセスキステアレート                     １     重量部
ポリオキシエチレン（２０）ベヘニルエーテル       １     重量部
１，３−ブタンジオール                           ５     重量部
メチルパラベン                                   ０．２ 重量部
香料＊２                                         ０．１ 重量部
水                                             ２９．７ 重量部
＊２：表４に詳細を示す。
【手続補正１２】
【補正対象書類名】明細書
【補正対象項目名】００２１
【補正方法】変更
【補正の内容】
【００２１】
＜実施例４＞
実施例２と同様に、ストレス性の慢性的な疲労の改善にはラベンダー調の香りを含むマッサージ化粧料が有効であるとの仮説を、パネラーによる試験により検証した。即ち、アンケートの心理的スケールより慢性的な疲労が認められるパネラー２４名を選び６名ずつ４群に分け、１群は本発明の慢性的疲労対応用のマッサージ化粧料であるマッサージクリームでマッサージし、実施例２と同様の手技でハイドロコルチゾール量を測定し、改善率を求めた。残りの３群は、１群がラベンダー精油をピネンに代えたもので同様の操作を行い、１群がラベンダー精油をリナロールに代えたもので同様の操作を行い、１群がラベンダー精油をリナリルアセテートに代えたもので同様の操作を行った。結果を表５に示す。これより、本発明の慢性的な疲労対応用のマッサージ化粧料は、優れた慢性的な疲労の改善効果を有することがわかる。更にこの効果は、リナリルアセテート、リナロール及びピネンの相乗効果であることがわかる。
（マッサージクリーム処方）
スクワラン                                     ３０     重量部
イソオクタン酸トリグリセライド                 ３０     重量部
セタノール                                       ３     重量部
ソルビタンセスキステアレート                     １     重量部
ポリオキシエチレン（２０）ベヘニルエーテル       １     重量部
１，３−ブタンジオール                           ５     重量部
メチルパラベン                                   ０．２ 重量部
香料＊３                                         ０．１ 重量部
水                                             ２９．７ 重量部
＊３：表５に詳細を示す。
【手続補正１３】
【補正対象書類名】明細書
【補正対象項目名】００２３
【補正方法】変更
【補正の内容】
【００２３】
＜実施例５＞
下記に示すマッサージクリームベースと４種の香料組成物をそれぞれ瓶に充填し、マッサージ化粧料セットを作成した。このセットを用いて、パネラー５０名による実使用テストを行った。即ち、イライラしたり、クヨクヨしたりするときには香料組成物１及び／又は２を、手の上でマッサージクリームベースに加え、これでマッサージを行ってもらい、体の疲労が激しいときには香料組成物３を手の上でマッサージクリームベースに加え、これでマッサージを行ってもらい、こころも平常であり、体の疲れも感じないときには香料組成物４を手の上でマッサージクリームベースに加え、これでマッサージを行ってもらった。この様な使用を４週間行ってもらい、疲労感の感じ方について、使用前に比べ改善されたか、されなかったかを問うたところ、７８％が改善されたと答えた。これより、本発明のマッサージ化粧料セットがこころと体の疲労に有益であることがわかる。
（マッサージクリームベース）
スクワラン                                     ３０     重量部
イソオクタン酸トリグリセライド                 ３０     重量部
セタノール                                       ３     重量部
ソルビタンセスキステアレート                     １     重量部
ポリオキシエチレン（２０）ベヘニルエーテル       １     重量部
１，３−ブタンジオール                           ５     重量部
メチルパラベン                                   ０．２ 重量部
水                                             ２９．８ 重量部
（香料組成物１）レモン精油（シトロネラール２１重量％、シトラール２５重量％、ピネン１１重量％含有）
（香料組成物２）ローズマリー精油（１，８−シネオール４２重量％及びピネン１３重量％含有）
（香料組成物３）ペパーミント精油（ｌ−メントール５１重量％、ピネン１１重量％含有）
（香料組成物４）ラベンダー精油（リナロール１３重量％、リナリルアセテート２９重量％、ピネン１３重量％含有）